(57)【要約】  空気調和機は、３相で駆動するモータを有する圧縮機と、モータの結線をデルタ結線とＹ結線とに切り替える制御部とを有し、圧縮機は、３相に接続され、端子形状が同一の３つの第１導電端子を有する第１ガラス端子と、３相に接続され、端子形状が同一の３つの第２導電端子を有する第２ガラス端子とを有し、第１導電端子の端子形状と第２導電端子の端子形状とが異なるものである。
2019031081.tif 000002
【特許請求の範囲】
【請求項１】
３相で駆動するモータを有する圧縮機と、
前記モータの結線をデルタ結線とＹ結線とに切り替える制御部と、
を有し、
前記圧縮機は、
前記３相に接続され、端子形状が同一の３つの第１導電端子を有する第１ガラス端子と、
前記３相に接続され、端子形状が同一の３つの第２導電端子を有する第２ガラス端子と、
を有し、
前記第１導電端子の前記端子形状と前記第２導電端子の前記端子形状とが異なる、
空気調和機。
【請求項２】
前記第１導電端子および前記第２導電端子のうち、一方の導電端子の前記端子形状はクラスターブロックが接続される円筒のピン形状であり、他方の導電端子の前記端子形状は旗端子が接続される板形状である、請求項１に記載の空気調和機。
【請求項３】
３つの前記他方の導電端子は、各旗端子に接続される端子スリーブの形状が導電端子間で異なる、請求項２に記載の空気調和機。
【請求項４】
３つの前記他方の導電端子は、各旗端子に接続されるリード線の色が導電端子間で異なる、請求項２または３に記載の空気調和機。
【発明の詳細な説明】
【技術分野】
【０００１】
本発明は、冷媒を圧縮して吐出する圧縮機を有する空気調和機に関する。
【背景技術】
【０００２】
従来、複数の導電部を有する圧縮機等のモータにおいて、電源の相に対応して異なる色のリード線を用いるだけでなく、リード線を束ねる紐の色を異なる色にすることで、誤配線防止を図るモータの識別構造が開示されている（例えば、特許文献１参照）。【０００３】
また、複数の導電ピンを有する圧縮機において、モータの巻線を並列または直列に接続する導電ピンの組毎に、クラスターブロックの色を異なるようにすることで、誤配線の防止を図る圧縮機が開示されている（例えば、特許文献２参照）。また、特許文献２には、導電ピンの組毎に、導電ピンの径を異なるようにすることも開示されている。
【先行技術文献】
【特許文献】
【０００４】
【特許文献１】実開昭６３−９３７５３号公報
【特許文献２】特開２０１１−２２９２２１号公報
【発明の概要】
【発明が解決しようとする課題】
【０００５】
特許文献１に開示されたモータの識別構造では、電源の相に対応して、リード線の色およびリード線を束ねる紐の色を変更しているが、作業者は、色を見間違って接続した場合、間違ったまま配線が接続されてしまう。そのため、作業者は、誤配線をしないように、組立時に注意する必要がある。【０００６】
特許文献２に開示された圧縮機において、導電ピンの組毎にクラスターブロックの色が異なる場合、特許文献１と同様に、作業者は色を見間違えないようにする必要がある。また、特許文献２において、導電ピンの組毎に導電ピンの径が異なる場合、作業者は、径の小さい導電ピンを径の大きい方のクラスターブロックに容易に挿入できてしまう。そのため、作業者は、取り付けるクラスターブロックを間違えないように、導電ピンの径の違いを見分ける必要があり、組立にかかる時間が長くなってしまう。【０００７】
本発明は、上記のような課題を解決するためになされたもので、配線接続の際、誤配線を防ぐとともに配線接続を容易に行える圧縮機を有する空気調和機を提供するものである。
【課題を解決するための手段】
【０００８】
本発明に係る空気調和機は、３相で駆動するモータを有する圧縮機と、前記モータの結線をデルタ結線とＹ結線とに切り替える制御部と、を有し、前記圧縮機は、前記３相に接続され、端子形状が同一の３つの第１導電端子を有する第１ガラス端子と、前記３相に接続され、端子形状が同一の３つの第２導電端子を有する第２ガラス端子と、を有し、前記第１導電端子の前記端子形状と前記第２導電端子の前記端子形状とが異なるものである。
【発明の効果】
【０００９】
本発明によれば、第１導電端子用のコネクタを第２導電端子に接続できず、第２導電端子用のコネクタを第１導電端子に接続できないため、誤配線を防止できるとともに、組立効率が向上する。
【図面の簡単な説明】
【００１０】
【図１】本発明の実施の形態１の空気調和機の一構成例を示す冷媒回路図である。
【図２】図１に示した室外機の構成を示す外観斜視図である。
【図３】図２に示した圧縮機の構成例を示す模式図である。
【図４】図２に示した圧縮機の外観斜視図である。
【図５】図４に示した圧縮機に接続端子が接続された場合を示す外観斜視図である。
【図６】図５に示した圧縮機が制御部と接続された構成を示す外観斜視図である。
【図７】図６に示した制御部の構成例を示す図である。
【図８】図７に示すリレー部の構成例を示す図である。
【発明を実施するための形態】
【００１１】
実施の形態１．
本実施の形態１の空気調和機の構成を説明する。図１は、本発明の実施の形態１の空気調和機の一構成例を示す冷媒回路図である。図１に示すように、空気調和機１００は、室外機１と、室内機４０とを有する。室外機１は、冷媒を圧縮して吐出する圧縮機１０と、冷媒が外気と熱交換する熱源側熱交換器８と、熱源側熱交換器８に外気を供給する送風機６と、流路を切り替える四方弁５１と、制御部２０とを有する。室内機４０は、冷媒が室内の空気と熱交換する負荷側熱交換器４１と、冷媒を膨張させる膨張弁４２とを有する。圧縮機１０、熱源側熱交換器８、四方弁５１、膨張弁４２および負荷側熱交換器４１が冷媒配管９で接続され、冷媒回路５０が構成される。制御部２０は、圧縮機１０、送風機６、四方弁５１および膨張弁４２を制御するものである。なお、図に示すことを省略するが、負荷側熱交換器４１に室内の空気を供給する送風機が室内機４０に設けられていてもよい。
【００１２】
図２は、図１に示した室外機の構成を示す外観斜視図である。室外機１は、底板２の上に、モータ取付台７と、熱源側熱交換器８と、圧縮機１０とが設けられている。熱源側熱交換器８および圧縮機１０は冷媒配管９で接続されている。圧縮機１０の上に制御部２０が設けられている。モータ取付台７には、送風機６と、送風機６を駆動する図に示さないファンモータとが固定されている。これらの機器を覆うように、前面および一方の側面をカバーする前面外郭部品３と、上面をカバーする上部外郭部品５と、他方の側面をカバーする側面外郭部品４とが設けられている。前面外郭部品３は、送風機６が送出する空気の吹出し口を備えた前面と、外気の吸込み口を備えた側面とを有する。
【００１３】
図３は、図２に示した圧縮機の構成例を示す模式図である。圧縮機１０はシリンダ型ロータリ圧縮機である。圧縮機１０の冷媒の吸入口５７には、冷媒を液体と気体とに分離するアキュムレータ９０が接続されている。圧縮機１０は、３相で駆動するモータ５５を有する電動機部７１と、冷媒を圧縮する圧縮機構部７２とを有する。モータ５５は、Ｕ相、Ｖ相およびＷ相の３相毎の巻線を備えた固定子７３と、回転軸７４を備えた回転子７５とを有する。圧縮機構部７２は、圧縮室が形成されるシリンダ７６と、回転軸７４と接続された偏心軸部７７と、偏心軸部７７の回転によって冷媒を圧縮室に圧縮するローリングピストン７８と、冷媒が吸入される室と圧縮室とを仕切るベーン７９とを有する。
【００１４】
モータ５５の回転軸７４が回転すると、偏心軸部７７が回転し、ローリングピストン７８がガス冷媒を圧縮室に圧縮する。圧縮されたガス冷媒は、図に示さない吐出穴を介して圧縮室からモータ５５の上側に流出し、吐出口５８から冷媒配管９に吐出する。なお、圧縮機１０がシリンダ型ロータリ圧縮機の場合で説明したが、圧縮機はロータリ圧縮機に限らない。
【００１５】
図４は、図２に示した圧縮機の外観斜視図である。圧縮機１０は、モータ５５のＵ相、Ｖ相およびＷ相の３相に対応した３つの導電端子が一組にして設けられた第１ガラス端子１２ａおよび第２ガラス端子１２ｂを上部に有する。第１ガラス端子１２ａは、モータ５５のＵ相に接続される第１導電端子１１ａと、モータ５５のＶ相に接続される第１導電端子１１ｂと、モータ５５のＷ相に接続される第１導電端子１１ｃとを有する。第１導電端子１１ａ〜１１ｃの形状は、円筒のピン形状である。
【００１６】
第２ガラス端子１２ｂは、モータ５５のＵ相に接続される第２導電端子１１ｄと、モータ５５のＶ相に接続される第２導電端子１１ｅと、モータ５５のＷ相に接続される第２導電端子１１ｆとを有する。第２導電端子１１ｄ〜１１ｆは円筒のピンに端子接続板１３が取り付けられた構成である。第２導電端子１１ｄ〜１１ｆの形状は板形状である。
【００１７】
図５は、図４に示した圧縮機に接続端子が接続された場合を示す外観斜視図である。第１ガラス端子１２ａには、接続端子としてクラスターブロック１４が取り付けられている。また、第２ガラス端子１２ｂには、接続端子として、第２導電端子１１ｄ〜１１ｆ毎に旗端子１５が設けられている。図５に示す構成例では、図４に示した第２導電端子１１ｆの旗端子１５に端子スリーブ１６が設けられている。
【００１８】
図６は、図５に示した圧縮機が制御部と接続された構成を示す外観斜視図である。クラスターブロック１４はリード線３１で制御部２０と接続されている。３つの旗端子１５はリード線３２で制御部２０と接続されている。
【００１９】
図７は、図６に示した制御部の構成例を示す図である。図８は、図７に示すリレー部の構成例を示す図である。制御部２０は、モータ５５に３相の交流電圧を出力するインバータ回路６１と、モータ５５の結線をＹ結線とデルタ結線とに切り変えるリレー部６３と、リレー部６３を制御するリレー制御部６４とを有する。リレー部６３は、リレー６５〜６７を有する。リレー６５〜６７は、モータ５５の結線がＹ結線の場合に第２ガラス端子１２ｂを端子８１ｂ〜８３ｂに接続し、モータ５５の結線がデルタ結線の場合に第２ガラス端子１２ｂを端子８１ａ〜８３ａに接続する。リレー制御部６４は、例えば、プログラムを記憶するメモリと、プログラムにしたがって処理を実行するＣＰＵ（Ｃｅｎｔｒａｌ  Ｐｒｏｃｅｓｓｉｎｇ  Ｕｎｉｔ）とを有する構成である。
【００２０】
圧縮機１０の第１導電端子１１ａ〜１１ｃおよび第２導電端子１１ｄ〜１１ｆと制御部２０とが接続されると、リレー制御部６４は、リレー部６３を動作して、モータ５５のＵ相、Ｖ相およびＷ相の結線を、Ｙ結線とデルタ結線との間で切り替えることができる。
【００２１】
例えば、図８に示す構成において、リレー制御部６４は、モータ５５の起動時に、リレー６５〜６７に、第２ガラス端子１２ｂを端子８１ｂ〜８３ｂに接続させる。モータ５５が回転を開始した後、リレー制御部６４は、リレー６５〜６７に、第２ガラス端子１２ｂの接続先を端子８１ｂ〜８３ｂから端子８１ａ〜８３ａに切り替えさせる。このようにして、制御部２０は、モータ５５の結線を、低回転側で効率のよいＹ結線に切り替えた状態でモータ５５を起動し、その後、高回転側で効率のよいデルタ結線に切り替える。この場合、空気調和機１００の省エネルギー性を向上させることができる。一方、空気調和機１００が長時間停止した場合などに室温が設定温度から離れた値になってしまうことがある。この場合、制御部２０は、高出力でモータ５５を駆動させて室温を設定温度に早く近づけるために、高回転側で効率のよいデルタ結線でモータ５５を起動する。その後、室温が安定してくると、制御部２０は、高出力でモータ５５を駆動させる必要がないので、モータ５５の結線を低回転側で効率のよいＹ結線に切り替える。
【００２２】
従来、結線方式を切り替えられない圧縮機として、モータのＵ相、Ｖ相およびＷ相に接続される３つの導電ピンが１つのガラス端子に設けられているものがある。３相の結線をＹ結線とデルタ結線との間で切り替えることができるようにするには、Ｕ相、Ｖ相およびＷ相に接続される３つの導電ピンが配置されたガラス端子が、さらにもう１つ必要になる。Ｙ結線とデルタ結線とを切り替えることができる圧縮機では、合計６本の導電ピンが圧縮機の上部に配置されることになる。この場合、空気調和機を組み立てる作業者は、圧縮機の６本の導電ピンと制御部との結線を間違ってしまうおそれがある。作業者は、圧縮機と制御部との結線を間違えないように組み立てなければならず、組立時間がかかってしまう。
【００２３】
本実施の形態１の圧縮機１０は、第１導電端子１１ａ〜１１ｃと、第２導電端子１１ｄ〜１１ｆとを有し、第１導電端子１１ａ〜１１ｃと第２導電端子１１ｄ〜１１ｆとは形状が異なる。第１導電端子１１ａ〜１１ｃと第２導電端子１１ｄ〜１１ｆの形状が異なるため、第１導電端子用のコネクタを第２導電端子１１ｄ〜１１ｆに接続できず、第２導電端子用のコネクタを第１導電端子１１ａ〜１１ｃに接続できない。
【００２４】
図４および図５に示した構成例では、第１ガラス端子１２ａの第１導電端子１１ａ〜１１ｃの形状は円筒状のピンであり、第１導電端子１１ａ〜１１ｃにクラスターブロック１４が接続される。第２ガラス端子１２ｂの第２導電端子１１ｄ〜１１ｆは板形状であり、第２導電端子１１ｄ〜１１ｆに旗端子１５が接続される。作業者は、圧縮機１０と制御部２０と接続する際、結線方式毎に端子形状が異なるため、２種類の導電端子を容易に見分けることができる。その結果、作業者の空気調和機１００の組立効率が向上する。また、クラスターブロック１４を第２導電端子１１ｄ〜１１ｆに接続することができず、旗端子１５を第１導電端子１１ａ〜１１ｃに接続することはできないため、誤配線を防止できる。
【００２５】
また、３つの旗端子１５に端子スリーブ１６を設け、端子スリーブ１６の形状が第２導電端子１１ｄ〜１１ｆ毎に異なるようにしてもよい。端子スリーブ１６の形状が第２導電端子１１ｄ〜１１ｆ毎に異なることで、作業者が３つの旗端子１５を制御部２０に接続する際、誤配線してしまうことを抑制できる。例えば、第２導電端子１１ｄ〜１１ｆに取り付けられる端子スリーブ１６に凹凸形状を設け、第２導電端子１１ｄ〜１１ｆ間で凹凸形状が異なる。
【００２６】
さらに、３つの旗端子１５に接続されるリード線３１の色が第２導電端子１１ｄ〜１１ｆ毎に異なるようにしてもよい。リード線３１の色が第２導電端子１１ｄ〜１１ｆ毎に異なることで、作業者が３つの旗端子１５を制御部２０に接続する際、誤配線してしまうことを抑制する効果がさらに向上する。
【符号の説明】
【００２７】
１  室外機、２  底板、３  前面外郭部品、４  側面外郭部品、５  上部外郭部品、６  送風機、７  モータ取付台、８  熱源側熱交換器、９  冷媒配管、１０  圧縮機、１１ａ〜１１ｃ  第１導電端子、１１ｄ〜１１ｆ  第２導電端子、１２ａ  第１ガラス端子、１２ｂ  第２ガラス端子、１３  端子接続板、１４  クラスターブロック、１５  旗端子、１６  端子スリーブ、２０  制御部、３１、３２  リード線、４０  室内機、４１  負荷側熱交換器、４２  膨張弁、５０  冷媒回路、５１  四方弁、５５  モータ、５７  吸入口、５８  吐出口、６１  インバータ回路、６３  リレー部、６４  リレー制御部、６５〜６７  リレー、７１  電動機部、７２  圧縮機構部、７３  固定子、７４  回転軸、７５  回転子、７６  シリンダ、７７  偏心軸部、７８  ローリングピストン、７９  ベーン、８１ａ〜８３ｂ、８１ｂ〜８３ｂ  端子、９０  アキュムレータ、１００  空気調和機。
【図１】
2019031081.tif 000003
【図２】
2019031081.tif 000004
【図３】
2019031081.tif 000005
【図４】
2019031081.tif 000006
【図５】
2019031081.tif 000007
【図６】
2019031081.tif 000008
【図７】
2019031081.tif 000009
【図８】
2019031081.tif 000010
【手続補正書】
【提出日】令和1年10月15日(2019.10.15)
【手続補正１】
【補正対象書類名】明細書
【補正対象項目名】０００８
【補正方法】変更
【補正の内容】
【０００８】
本発明に係る空気調和機は、３相で駆動するモータを有する圧縮機と、前記モータの結線をデルタ結線とＹ結線とに切り替える制御部と、を有し、前記圧縮機は、前記３相に接続され、端子形状が同一の３つの第１導電端子を有する第１ガラス端子と、前記３相に接続され、端子形状が同一の３つの第２導電端子を有する第２ガラス端子と、を有し、前記第１導電端子の前記端子形状と前記第２導電端子の前記端子形状とが異なり、前記第１導電端子および前記第２導電端子のうち、一方の導電端子の前記端子形状はクラスターブロックが接続される円筒のピン形状であり、他方の導電端子の前記端子形状は旗端子が接続される板形状である。
【手続補正２】
【補正対象書類名】特許請求の範囲
【補正対象項目名】全文
【補正方法】変更
【補正の内容】
【特許請求の範囲】
【請求項１】
３相で駆動するモータを有する圧縮機と、
前記モータの結線をデルタ結線とＹ結線とに切り替える制御部と、
を有し、
前記圧縮機は、
前記３相に接続され、端子形状が同一の３つの第１導電端子を有する第１ガラス端子と、
前記３相に接続され、端子形状が同一の３つの第２導電端子を有する第２ガラス端子と、
を有し、
前記第１導電端子の前記端子形状と前記第２導電端子の前記端子形状とが異なり、
前記第１導電端子および前記第２導電端子のうち、一方の導電端子の前記端子形状はクラスターブロックが接続される円筒のピン形状であり、他方の導電端子の前記端子形状は旗端子が接続される板形状である
空気調和機。
【請求項２】
３つの前記他方の導電端子のそれぞれに前記旗端子が接続され、
３つの前記旗端子のそれぞれに端子スリーブが接続され、
前記各端子スリーブの形状が導電端子間で異なる、請求項１に記載の空気調和機。
【請求項３】
３つの前記他方の導電端子のそれぞれに前記旗端子が接続され、
３つの前記旗端子のそれぞれにリード線が接続され、
前記各リード線の色が導電端子間で異なる、請求項１または２に記載の空気調和機。
【国際調査報告】
2019031081.tif 000011
2019031081.tif 000012
2019031081.tif 000013
2019031081.tif 000014